【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
フロントフォーク（２）を支持するヘッドパイプ（１）から後方下向きに傾斜して延びるバックボーン（Ｆｆ）と，このバックボーン（Ｆｆ）の後端に一体に結合してリアフォーク（３）を支持するリアフレーム（Ｆｒ）とで車体フレーム（Ｆ）を構成し，そのリアフレーム（Ｆｒ）に，前記バックボーン（Ｆｆ）の下方でシリンダブロック（８）及びシリンダヘッド（９）を前方に向かって略水平に突出させるエンジン（Ｅ）を取付け，前記シリンダヘッド（９）の上面に開口する吸気ポート（１１）と，前記バックボーン（Ｆｆ）の前端部に配置されるエアクリーナ（１０）との間を，前記バックボーン（Ｆｆ）の下方に配置されて概ね後方下向きに傾斜する吸気通路（１２）を介して接続し，この吸気通路（１２）の中間部にスロットル弁（２５）を設け，前記バックボーン（Ｆｆ），シリンダブロック（８），シリンダヘッド（９），エアクリーナ（１０）及び吸気通路（１２）を覆うレッグシールド（１３）を前記車体フレーム（Ｆ）に取付けたバックボーン型自動二輪車において，
前記スロットル弁（２５）より下流側の前記吸気通路（１２）の上端壁に，前記シリンダヘッド（９）の吸気ポート（１１）に向かって下向きに燃料を噴射する燃料噴射弁（３０）を立設すると共に，この燃料噴射弁（３０）の上端に燃料供給管（３４）を接続し，前記吸気通路（１２）を，これと前記バックボーン（Ｆｆ）の下面との間に前記燃料噴射弁（３０）及び燃料供給管（３４）を収めるスペース（Ｓ）を確保するように構成し，前記燃料噴射弁（３０）及び燃料供給管（３４）の上部を前記バックボーン（Ｆｆ）により，同下部を前記シリンダヘッド（９）により，同前面を前記吸気通路（１２）により，同左右側部を前記レッグシールド（１３）によりそれぞれ覆ったことを特徴とする，バックボーン型自動二輪車における燃料噴射装置。
【請求項２】
請求項１記載のバックボーン型自動二輪車における燃料噴射装置において，
前記吸気通路（１２）を，これと前記バックボーン（Ｆｆ）の下面との間に前記スペース（Ｓ）を確保すべく前記シリンダヘッド（９）の上面から立ち上がりながら前記バックボーン（Ｆｆ）に沿って前方に鈍角で屈曲する第１屈曲部（２３）と，前記エアクリーナ（１０）の下面から下がりながら前記バックボーン（Ｆｆ）に沿って後方に鈍角で屈曲する第２屈曲部（２２）と，前記第１及び第２屈曲部（２２，２３）間を連結すべく直線状に沿って延びる直線部（２４ａ）とで構成し，その直線部（２４ａ）に前記スロットル弁（２５）を配置し，前記第１屈曲部（２３）の，前記吸気ポート（１１）に対向する上側壁に，水平方向の上端面と，この上端面に開口する鉛直方向の装着孔（２６）とを有するボス（２７）を一体に形成し，前記装着孔（２６）に前記燃料噴射弁（３０）の下端部を嵌装したことを特徴とする，バックボーン型自動二輪車における燃料噴射装置。
【手続補正２】
【補正対象書類名】明細書
【補正対象項目名】全文
【補正方法】変更
【補正の内容】
【発明の詳細な説明】
【発明の名称】バックボーン型自動二輪車における燃料噴射装置
【技術分野】
【０００１】
本発明は，フロントフォークを支持するヘッドパイプから後方下向きに傾斜して延びるバックボーンと，このバックボーンの後端に一体に結合してリアフォークを支持するリアフレームとで車体フレームを構成し，そのリアフレームに，前記バックボーンの下方でシリンダブロック及びシリンダヘッドを前方に向かって略水平に突出させるエンジンを取付け，前記シリンダヘッドの上面に開口する吸気ポートと，前記バックボーンの前端部に配置されるエアクリーナとの間を，前記バックボーンの下方に配置されて概ね後方下向きに傾斜する吸気通路を介して接続し，この吸気通路の中間部にスロットル弁を設け，前記バックボーン，シリンダブロック，シリンダヘッド，エアクリーナ及び吸気通路を覆うレッグシールドを前記車体フレームに取付けたバックボーン型自動二輪車における燃料噴射装置に関する。
【背景技術】
【０００２】
かゝるバックボーン型自動二輪車は，本出願人会社の製造に係る，商品名「スーパーカブ」の小型自動二輪車として，世界的に普及しており，それにおいては前記吸気通路の中間部に気化器が介裝されている（例えば下記特許文献１参照）。
【特許文献１】実公昭６２−３９９９３号公報
【発明の開示】
【発明が解決しようとする課題】
【０００３】
上記バックボーン型自動二輪車において，車体フレームやエンジンのレイアウトを変更せずに，前記気化器に代えて燃料噴射弁を前記吸気通路に取付けようとすると，該燃料噴射弁から噴射燃料をエンジンのシリンダヘッドの上面に開口する吸気ポートに確実に指向させるためには，どうしても前記吸気通路の上側壁に取付ける必要がある。しかしながら，前記吸気通路の上方にはフレームのバックボーンが比較的近接して配置されているので，燃料噴射弁は，このバックボーンと干渉し易く，前記吸気通路の上側壁に簡単には取付けことができない。
【０００４】
そこで，本発明は，従来の車体フレームやエンジンのレイアウトを変更せずとも，車体フレームのバックボーンに干渉されずに，燃料噴射弁を前記吸気通路の上側壁に取付けることができて，該弁からシリンダヘッドの吸気ポートに向かって燃料を噴射し得るようにした，前記バックボーン型自動二輪車における燃料噴射装置を提供することを目的とする。
【課題を解決するための手段】
【０００５】
上記目的を達成するために，本発明は，フロントフォークを支持するヘッドパイプから後方下向きに傾斜して延びるバックボーンと，このバックボーンの後端に一体に結合してリアフォークを支持するリアフレームとで車体フレームを構成し，そのリアフレームに，前記バックボーンの下方でシリンダブロック及びシリンダヘッドを前方に向かって略水平に突出させるエンジンを取付け，前記シリンダヘッドの上面に開口する吸気ポートと，前記バックボーンの前端部に配置されるエアクリーナとの間を，前記バックボーンの下方に配置されて概ね後方下向きに傾斜する吸気通路を介して接続し，この吸気通路の中間部にスロットル弁を設け，前記バックボーン，シリンダブロック，シリンダヘッド，エアクリーナ及び吸気通路を覆うレッグシールドを前記車体フレームに取付けたバックボーン型自動二輪車において，前記スロットル弁より下流側の前記吸気通路の上端壁に，前記吸気通路の上端壁に，前記シリンダヘッドの吸気ポートに向かって下向きに燃料を噴射する燃料噴射弁を立設すると共に，この燃料噴射弁の上端に燃料供給管を接続し，前記吸気通路を，これと前記バックボーンの下面との間に前記燃料噴射弁及び燃料供給管を収めるスペースを確保するように構成し，前記燃料噴射弁及び燃料供給管の上部を前記バックボーンにより，同下部を前記シリンダヘッドにより，同前面を前記吸気通路により，同左右側部を前記レッグシールドによりそれぞれ覆ったことを第１の特徴とする。
【０００６】
また本発明は，第１の特徴に加えて，前記吸気通路を，これと前記バックボーンの下面との間に前記スペースを確保すべく前記シリンダヘッドの上面から立ち上がりながら前記バックボーンに沿って前方に鈍角で屈曲する第１屈曲部と，前記エアクリーナの下面から下がりながら前記バックボーンに沿って後方に鈍角で屈曲する第２屈曲部と，前記第１及び第２屈曲部間を連結すべく直線状に沿って延びる直線部とで構成し，その直線部に前記スロットル弁を配置し，前記第１屈曲部の，前記吸気ポートに対向する上側壁に，水平方向の上端面と，この上端面に開口する鉛直方向の装着孔とを有するボスを一体に形成し，前記装着孔に前記燃料噴射弁の下端部を嵌装したことを第２の特徴とする。
【発明の効果】
【０００７】
本発明の第１の特徴によれば，従来の車体フレームやエンジンのレイアウトを変更せずとも，バックボーン及び吸気通路間の狭小なスペースを合理的に利用して，吸気通路の上側壁に取り付けられる燃料噴射弁を燃料供給管と共に収めながら，この燃料噴射弁から略水平姿勢のシリンダヘッドの吸気ポートに向かって下向きに燃料を噴射することができる。
【０００８】
本発明の第２の特徴によれば，エアクリーナ及び吸気ポート間を結ぶ吸気通路は，該吸気通路とバックボーンとの間にスペースを確保すべくシリンダヘッドの上面から立ち上がりながらバックボーンに沿って前方に鈍角で屈曲する第１屈曲部と，エアクリーナの下面から下がりながらバックボーンに沿って後方に鈍角で屈曲する第２屈曲部と，第１及び第２屈曲部間を連結すべくバックボーンに沿って延びて直線部とで構成されるので，吸気通路は，バックボーンとの間に前記スペースを確保しながら，全体としては後方下向きに傾斜することになり，吸気抵抗を小さくしてエンジンＥの出力向上に寄与し得る。
【発明を実施するための最良の形態】
【０００９】
本発明の実施の形態を，添付図面に示す本発明の実施例に基づいて以下に説明する。
【００１０】
図１〜図４は本発明の第１実施例を示すもので，図１はバックボーン型自動二輪車の側面図，図２は同自動二輪車のエンジン及び吸気系周りの側面図，図３は図２の吸気系における燃料噴射装置周りの拡大側面図図，図４は図３の４矢視図，図５は本発明の第２実施例を示す，図３と同様の側面図である。
【００１１】
先ず，図１〜図４により本発明の第１実施例について説明する。図１において，自動二輪車Ｍの車体フレームＦは，前端のヘッドパイプ１の後側面に溶接されて，後方下向きに傾斜して延びる鋼管からなるバックボーンＦｆと，このバックボーンＦｆの後端に溶接される鋼板製のリアフレームＦｒとか構成される。ヘッドパイプ１には，前輪Ｗｆを軸支するフロントフォーク２が操向可能に枢支され，リアフレームＦｒには，後輪Ｗｒを軸支するリアフォーク３が枢支され，このリアフォーク３とリアフレームＦｒ間にリアクッション４が連結される。またリアフレームＦｒの上面にサドル５が取付けられ，このサドル５の直下のリアフレームＦｒ内に燃料タンク６が収納，保持される。さらにリアフレームＦｒの前端には，バックボーンＦｆとの結合点の下方において，エンジンＥのクランクケース７が取付けられる。エンジンＥは，クランクケース７の前面から突出して略水平に配置されるシリンダブロック８を有し，その前面にシリンダヘッド９が接合される。バックボーンＦｆの前端部にはエアクリーナ１０が取付けられ，これとシリンダヘッド９の吸気ポート（図２参照）との間が，バックボーンＦｆの下方に配置される吸気通路１２を介して接続される。
【００１２】
上記バックボーンＦｆ，シリンダブロック８，シリンダヘッド９，エアクリーナ１０及び吸気通路１２は，車体フレームＦに取付けられるレッグシールド１３により覆われる。      
【００１３】
図２及び図３に示すように，前記バックボーンＦｆは，ヘッドパイプ１に結合して後方下向きに傾斜して直線状に延びる前半直線部１４ａと，この前半直線部１４ａより緩傾斜で後方下向きに直線状に延びてリアフレームＦｒに結合する後半直線部１４ｂと，これら両直線部１４ａ，１４ｂ間を連続的に結合する，曲率半径Ｒの中間屈曲部１４ｃとからなっている。その中間屈曲部１４ｃの下方にシリンダヘッド９が位置しており，シリンダヘッド９の上面に吸気ポート１１が開口している。この吸気ポート１１の燃焼室１６への開口端は吸気弁１５により開閉される。
【００１４】
前記エアクリーナ１０は，バックボーンＦｆの前半直線部１４ａの直下に配置されて前面を開放したクリーナケース１７と，このクリーナケース１７に結合されてその開放面を閉じるケースカバー１８と，これらクリーナケース１７及びケースカバー１８間に挟持されるクリーナエレメント１９と，ケースカバー１８の上端に連結される入口ダクト２０とから構成され，クリーナケース１７の底壁に吸気通路１２の接続孔２１が設けられている。そして入口ダクト２０及びクリーナケース１７がバックボーンＦｆの前半直線部１４ａにねじ止めされる。
【００１５】
以上は，従来の小型自動二輪車のレイアウトと変わりがない。
【００１６】
前記吸気通路１２は，前記接続孔２１に嵌着されてクリーナケース１７内に突入したホーン管２２と，前記吸気ポート１１に連通すべくシリンダヘッド９の上面に結合される吸気管２３と，これらホーン管２２及び吸気管２３の間を接続するスロットルボディ２４とから構成される。ホーン管２２は，中間に鈍角の屈曲部を持ち，下流側開口端を後方下向きした略Ｌ字状をなしており，また吸気管２３も，中間に鈍角の屈曲部を持ち，上流側開口端を前方上向きにした略Ｌ字状をないしている。即ち，吸気管２３は，シリンダヘッド９の上面から立ち上がりながらバックボーンＦｆに沿って前方に鈍角で屈曲しており，特に，その屈曲は，シリンダヘッド９との接合面から開始している。このように屈曲した吸気管２３とバックボーンＦｆとの間にはスペースＳが確保される。前記両管２２，２３を接続すべく傾斜して配置されるスロットルボディ２４は，両管２２，２３の内部を連通する直線状の吸気道２４ａを有し，この吸気道２４ａを開閉するバタフライ型のスロットル弁２５が，その回動軸２５ａをバックボーンＦｆと直交する水平方向に向けてスロットルボディ２４に軸支される。前記吸気管２３は，そのシリンダヘッド９上面との接合面と，スロットルボディ２４の下流端との接合面とが鋭角をなすように形成される。こうして，吸気通路１２は，概ねバックボーンＦｆに沿ってその下方に配置される。
【００１７】
略Ｌ字状の吸気管２３の屈曲部もしくはその近傍の上側壁に電磁式の燃料噴射弁３０が立設される。即ち，吸気管２３の屈曲部もしくはその近傍の上側壁には，水平方向の上端面と，この上端面に開口する鉛直方向の弁装着孔２６とを有するボス２７が一体に形成され，その弁装着孔２６に燃料噴射弁３０の下端部がシール部材２８を介して嵌装される。この燃料噴射弁３０の上端面には燃料入口が，下端面には燃料噴孔がそれぞれ開口している。この燃料噴射弁３０は，その燃料噴孔からの噴射燃料３１が前記吸気ポート１１の特に吸気弁１５により開閉される下流端に向かい，且つ上端が前記バックボーンＦｆの中間屈曲部１４ｃにおける外側曲線の中点３２より前方にくるように，配置される。
【００１８】
図３及び図４に示すように，燃料噴射弁３０の上端部には，燃料供給管３４の側壁に開口する装着孔３５がシール部材３６を介して嵌合される。この燃料供給管３４は，バックボーンＦｆの直下において，バックボーンＦｆの軸線Ｙと直交して水平に，即ち車体の左右方向に配置される。この燃料供給管３４に一端には，前記燃料タンク６内に配設される燃料ポンプ３８（図１参照）の吐出ポートに連なる燃料導管３９が接続され，またその他端には，噴射圧力レギュエータ４０が連結される。こうして，吸気管２３の上側壁に立設される燃料噴射弁３０は，その上端部に接続される燃料供給管３４をバックボーンＦｆに近接させながら前記スペースＳに収められる。またこれら燃料噴射弁３０及び燃料供給管３４の上部は前記バックボーンＦｆにより，同下部は前記シリンダヘッド９により，同前面は前記吸気通路１２により，同左右側部は前記レッグシールド１３によりそれぞれ覆われる。
【００１９】
図４に示すように，噴射圧力レギュエータ４０は，燃料供給管３４に連通する燃料室４１を有するレギュエータボディ４２と，ブースト負圧室４３を有してレギュエータボディ４２に結合されるキャップ４４と，レギュエータボディ４２及びキャップ４４間に挟持されて上記燃料室４１及びブースト負圧室４３間を仕切るダイヤフラム４５とを備える。レギュエータボディ４２の中心部には，燃料戻し孔４６が開口する弁座４７が設けられ，この弁座４７に着座し得る弁体４８がダイヤフラム４５の中心部に首振り可能に付設される。そしてこの弁体４８をダイヤフラム４５を介して弁座４７側に付勢する弁ばね４９が  ブースト負圧室４３に収容される。ブースト負圧室４３は，負圧導管５０を介して前記吸気管２３内に連通し，燃料戻し孔４６は，燃料戻し管５１を介して前記燃料タンク６に連通する。さらに燃料室４１には燃料フィルタ５２が設けられる。
【００２０】
次に，この第１実施例の作用について説明する。
【００２１】
エンジンＥの作動中，噴射圧力レギュエータ４０の燃料室４１には，燃料タンク６内の燃料が燃料ポンプ３８により燃料導管３９及び燃料供給管３４を通して圧送され，その燃料圧力は弁体４８を弁座４７から離座する方向にダイヤフラム４５に作用する。一方，ブースト負圧室４３には，吸気管２３内のブースト負圧が負圧導管５０を通して導入され，このブースト負圧は，弁ばね４９の荷重方向とは反対に，弁体４８を弁座４７から離座する方向にダイヤフラム４５に作用する。したがって，エンジンＥの負荷が小さくてブースト負圧が高い時は，燃料室４１の燃料による弁体４８の開弁圧力は低く，エンジンＥの負荷が大きくてブースト負圧が低い時は，燃料室４１の燃料による弁体４８の開弁圧力は高くなり，弁体４８の開弁時，燃料室４１から燃料戻し孔４６に流出した燃料戻し管５１を通して燃料タンク６に還流する。こうして燃料供給管３４内に燃料圧力は，エンジンＥの負荷に応じて制御される。
【００２２】
而して，エンジンＥの吸気行程時，吸気弁１５が開くと共に，燃料噴射弁３０が励磁されて開弁すると，上記のように圧力制御された燃料が該弁３０から噴射され，その噴射燃料３１は吸気ポート１１の，吸気弁１５により開放された下流端に向かうので，エアクリーナ１０で濾過されて吸気通路１２を流下する吸入空気と共に効率良く燃料室４１に吸入される。したがって，噴射燃料３１の管壁への付着によるロスが少なく，燃費の低減に寄与し得る。またエアクリーナ１０及び吸気ポート１１間を結ぶ吸気通路１２は，ホーン管２２及び吸気管２３が鈍角に屈曲するだけで，全体としては後方下向きに傾斜しているので，吸気抵抗が小さくなり，エンジンＥの出力向上に寄与し得る。
【００２３】
ところで，燃料噴射弁３０は，吸気管２３の屈曲部又はその近傍の上側壁に立設され，該弁３０の少なくとも上端がバックボーンＦｆの中間屈曲部１４ｃにおける外側曲線の中点３２より前方にくるように配置されるので，従来の車体フレームＦやエンジンＥのレイアウトを変更せずとも，バックボーンＦｆ及び吸気通路１２間の狭小なスペースＳを合理的に利用して，該吸気通路１２の上側壁に燃料噴射弁３０を取付けることができ，したがって上述のように該弁３０から吸気ポート１１の特に下流端に向かって燃料を噴射することが可能となる。
【００２４】
また燃料噴射弁３０の上端に連結する燃料供給管３４は，バックボーンＦｆの軸線と直交して水平に配置されるので，バックボーンＦｆ及び燃料噴射弁３０間の狭小な空間に燃料供給管３４を，バックボーンＦｆに干渉されることなく容易に配置することができる。      
【００２５】
次に，図５により，本発明の第２実施例について説明する。
【００２６】
この第２実施例では，燃料噴射弁３０の上端に連結する燃料供給管３４がバックボーンＦｆの下側面に沿って後方下向き傾斜に配置される点，この燃料供給管３４の後端にバックボーンＦｆに沿って配置される燃料導管３９が接続される点，及び燃料供給管３４の前端に噴射圧力レギュエータ４０のレギュエータボディ４２が一体に連設される点を除けば，前実施例と同様構成であり，図中，前実施例との対応部分には，同一の参照符号を付して，その説明を省略する。
【００２７】
而して，燃料供給管３４がバックボーンＦｆの下側面に沿って後方下向き傾斜に配置されるので，この場合もバックボーンＦｆ及び燃料噴射弁３０間の狭小な空間に燃料供給管３４を，バックボーンＦｆに干渉されることなく容易に配置することができる。またその燃料供給管３４の後端に接続される燃料導管３９がバックボーンＦｆに沿って配置されるので，燃料導管３９がバックボーンＦｆから大きく食み出すこともなく，他物との干渉を容易に回避することができる。
【００２８】
本発明は上記各実施例に限定されるものではなく，その要旨を逸脱しない範囲で種々の設計変更が可能である。
【図面の簡単な説明】
【００２９】
【図１】本発明の第１実施例を示すバックボーン型自動二輪車の側面図。
【図２】同自動二輪車のエンジン及び吸気系周りの側面図。
【図３】図２の吸気系における燃料噴射装置周りの拡大側面図図。
【図４】図３の４矢視図。
【図５】本発明の第２実施例を示す，図３と同様の側面図。
【符号の説明】
【００３０】
Ｅ・・・・・エンジン
Ｆ・・・・・車体フレーム
Ｆｆ・・・・バックボーン
Ｆｒ・・・・リアフレーム
Ｓ・・・・・スペース
Ｙ・・・・・バックボーンの軸線
１・・・・・ヘッドパイプ
２・・・・・フロントフォーク
３・・・・・リアフォーク
８・・・・・シリンダブロック
９・・・・・シリンダヘッド
１０・・・・エアクリーナ
１１・・・・吸気ポート
１２・・・・吸気通路
２５・・・・スロットル弁
３０・・・・燃料噴射弁
３４・・・・燃料供給管
【手続補正３】
【補正対象書類名】図面
【補正対象項目名】図２
【補正方法】変更
【補正の内容】
【図２】
2008261340.tif 000001
【手続補正４】
【補正対象書類名】図面
【補正対象項目名】図３
【補正方法】変更
【補正の内容】
【図３】
2008261340.tif 000002
【手続補正５】
【補正対象書類名】図面
【補正対象項目名】図５
【補正方法】変更
【補正の内容】
【図５】
2008261340.tif 000003